(57)【要約】【課題】火災発生時における避難階でのエレベータと防火シャッターとの間での乗客の乗場の閉じ込めを防止したエレベータ制御装置を提供する。【解決手段】エレベータの乗場に脱出口付防火シャッター１００が設置されているエレベータにおいて、かごの停止階の防火シャッター動作を検出する防火シャッター動作検出手段２と、火災管制運転で防火シャッターが降りている階にかごが停止した場合にかご内照明を点灯継続させ照度を確保するかご運転制御手段３と、を備えたことを特徴とするエレベータ制御装置とした。【選択図】        図１
2004182433.tif 000002
【特許請求の範囲】
【請求項１】
エレベータの乗場に脱出口付防火シャッターが設置されているエレベータにおいて、かごの停止階の防火シャッター動作を検出する防火シャッター動作検出手段と、火災管制運転で防火シャッターが降りている階にかごが停止した場合にかご内照明を点灯継続させ照度を確保するかご運転制御手段と、を備えたことを特徴とするエレベータ制御装置。
【請求項２】
エレベータの乗場に脱出口無し防火シャッターが設置されているエレベータにおいて、かごの停止階の防火シャッター動作を検出する防火シャッター動作検出手段と、火災管制運転で防火シャッターが降りている階にかごが停止した場合に乗場に降りないように報知させるかご運転制御手段と、を備えたことを特徴とするエレベータ制御装置。
【請求項３】
エレベータの乗場に脱出口無し防火シャッターが設置されているエレベータにおいて、かごの停止階の防火シャッター動作を検出する防火シャッター動作検出手段と、火災管制運転で防火シャッターが降りている階にかごが停止した場合に乗場に降りないように報知させると共に報知完了するまでかごを戸開待機するかご運転制御手段と、を備えたことを特徴とするエレベータ制御装置。
【発明の詳細な説明】
【０００１】
【発明の属する技術分野】
この発明はエレベータ制御装置、特に火災発生時の制御に関する。
【０００２】
【従来の技術】
従来の火災管制運転は、火災が発生すると、かごを避難階へ呼戻し、避難階に到着して戸開すると、かご内照明を消灯していた。かつ、かごから降りるようにアナウンス等で報知している。しかし、防火シャッター等で乗場が封鎖されていることへの考慮はされていない。また、別の避難階への誘導切換はできるが、防火シャッターが降りている避難階に誤って降り、乗場の閉じ込めを防止することはできない（例えば特許文献１参照）。
【０００３】
【特許文献１】
特開平１１−１１８１２号公報
【０００４】
【発明が解決しようとする課題】
従来のエレベータ制御装置においては、防火シャッターが降りている階では、乗場からの照明はなく、かつ、かごが到着してかご内照明を消灯すると、真っ暗の状態となる。この状態で防火シャッターに脱出口がついていても、乗客は避難することができず、エレベータのかごの戸が閉まると、乗客が乗場に閉じ込め状態となる。また、防火シャッターに脱出口がついていない場合に、防火シャッターが降りている階で、乗客がエレベータから降りてしまうと、上記と同じように乗客が乗場に閉じ込め状態となる。
【０００５】
この発明は上記のような課題を解消するためになされたもので、火災発生時における避難階でのエレベータと防火シャッターとの間での乗客の乗場の閉じ込めを防止したエレベータ制御装置を提供することを目的とする。
【０００６】
【課題を解決するための手段】
上記の目的に鑑み、この発明は、エレベータの乗場に脱出口付防火シャッターが設置されているエレベータにおいて、かごの停止階の防火シャッター動作を検出する防火シャッター動作検出手段と、火災管制運転で防火シャッターが降りている階にかごが停止した場合にかご内照明を点灯継続させ照度を確保するかご運転制御手段と、を備えたことを特徴とするエレベータ制御装置にある。
【０００７】
【発明の実施の形態】
図１はこの発明の一実施の形態によるエレベータ制御装置の全体構成図である。エレベータ制御装置は例えばマイクロプロセッサとプログラムで構成される。防火シャッター１００の状態を防火シャッター動作検出手段２で検出する。また、エレベータ巻き上げ機のモーターの回転数を出力するモーターエンコーダ６からの位置情報及び、各階毎に設置されている階検出スイッチ７からかごの位置を検出するかご位置検出手段５を備える。防火シャッター動作検出手段２でかごの停止階の防火シャッター動作を検出すると、かご運転制御手段３により運転を制御する。運転の状態により、発報制御手段４によりアナウンス装置８やインフォメーション装置９にて、表示やアナウンスを行う。
【０００８】
図４の（ａ）は乗場見取り図（側面図）、（ｂ）は防火シャッター正面図を示すもので、防火シャッター１００には脱出口１１０の付いているものといないものとがある。火災時、防火シャッター１００が降りていてエレベータ戸が閉まると、乗客は防火シャッター１００とエレベータ戸またはこれに連動するエレベータ乗場戸２１０の間の乗場に閉じ込め状態となる。
【０００９】
防火シャッターが脱出口付の場合の具体的な動作を図２により説明する。まず火災が発生したか否かをステップＳ１で判断する。火災が発生するとステップＳ２に進み、通常の火災管制と同様に呼びを無効にし、避難階へ走行させる。ステップＳ３で避難階に到着して、エレベータを戸開させる。次にステップＳ４で防火シャッター動作検出手段２によって避難階の防火シャッターが降りているか否かを判断する。シャッターが降りている場合はステップＳ５に進み、かご内照明を消灯させず、また避難する時間を確保するために通常より戸開時間を長くする。シャッターが降りていない場合はステップＳ６に進み、かご内照明を消灯し、所定の戸開時間が満了するとステップＳ７でかごの戸を閉めて火災管制運転を完了する。
【００１０】
上記の構成により、防火シャッターが降りていて、乗場が真っ暗な状態であっても、かご内照明を継続して点灯させ、戸開時間を長くすることにより、避難するまでの照度を確保して、乗客が脱出口から逃げ出せる。
【００１１】
次に防火シャッターに脱出口が付いていない場合の具体的な動作を図３により説明する。まず上記と同様にステップＳ４まで進む。シャッターが降りている場合はステップＳ９に進み、降りるように誘導するようなアナウンスやインフォメーションによる表示報知をしない、又は、降りると危険である旨（防火シャッターが降りている旨）をアナウンスやインフォメーションにより表示報知して警告する。シャッターが降りていない場合はステップＳ１０に進み、通常の降りるように誘導する表示報知をする。そして所定の戸開時間が満了するとステップＳ７でかごの戸をしめて火災管制運転を完了する。
【００１２】
なお、ステップＳ９のアナウンスが満了するまで、戸開を継続することも可能である。
【００１３】
上記構成により、聴覚・視覚障害者に対して、防火シャッターが降りている旨を報知することで、誤ってかごから降りることによる、乗場の閉じ込めを防止でき、かつ防火シャッターが降りている旨を報知完了するまで戸開待機することで、誤ってかごから降りることによる、乗場の閉じ込めを防止できる。
【００１４】
このように、エレベータの乗場直前に脱出口付防火シャッターが設置されているエレベータにおいて、火災管制運転で防火シャッターが降りている階にかごが停止した場合、脱出口から逃げることができるようにかご内照明を点灯継続し、照度を確保することにより、防火シャッターが降りていて、乗場が真っ暗な状態であっても、照度を確保して、乗客が脱出口から逃げ出せる。
【００１５】
また、エレベータの乗場直前に脱出口無防火シャッターが設置されているエレベータにおいて、火災管制運転で防火シャッターが降りている階にかごが停止した場合、乗場に降りないように報知することにより、聴覚・視覚障害者に対して、防火シャッターが降りている旨を報知することで、誤ってかごから降りることによる、乗場の閉じ込めを防止できる。
【００１６】
また、エレベータの乗場直前に脱出口無防火シャッターが設置されているエレベータにおいて、火災管制運転で防火シャッターが降りている階にかごが停止した場合、乗場に降りないように報知し、報知完了するまでかごを戸開待機することにより、防火シャッターが降りている旨を報知完了するまで戸開待機することで、誤ってかごから降りることによる、乗場の閉じ込めを防止できる。
【００１７】
【発明の効果】
上記のようにこの発明では、エレベータの乗場に脱出口付防火シャッターが設置されているエレベータにおいて、かごの停止階の防火シャッター動作を検出する防火シャッター動作検出手段と、火災管制運転で防火シャッターが降りている階にかごが停止した場合にかご内照明を点灯継続させ照度を確保するかご運転制御手段と、を備えたエレベータ制御装置としたので、火災発生時における避難階での乗客の乗場の閉じ込めの防止に役立つ。
【図面の簡単な説明】
【図１】この発明の一実施の形態によるエレベータ制御装置の全体構成図である。
【図２】この発明における防火シャッターが脱出口付の場合の具体的な動作を説明するためのフローチャートである。
【図３】この発明における防火シャッターに脱出口が付いていない場合の具体的な動作を説明するためのフローチャートである。
【図４】（ａ）は乗場見取り図（側面図）、（ｂ）は防火シャッターの正面図である。
【符号の説明】
２  防火シャッター動作検出手段、３  かご運転制御手段、４  発報制御手段、５  かご位置検出手段、６  モーターエンコーダ、７  階検出スイッチ、８  アナウンス装置、９  インフォメーション装置、１００  防火シャッター、１１０  脱出口、２１０  エレベータ乗場戸、２２０  エレベータ三方枠。
【図１】
2004182433.tif 000003
【図２】
2004182433.tif 000004
【図３】
2004182433.tif 000005
【図４】
2004182433.tif 000006